(57)【要約】【課題】  可動端子が安価に製造できることにより、安価に製造することのできるスイッチ付ラッチを提供する。【解決手段】  ハウジング１１から一部が突出する突出位置へコイルスプリング６１で付勢された可動部材４１をハウジング１１内へ押し込むことにより、ロック機構がロック状態になって可動部材４１を押し込み位置にロックするとともに、スイッチがオフし、押し込み位置の可動部材４１をハウジング１１内へ押し込むことにより、ロック機構がアンロック状態になって可動部材４１が突出位置へ復帰するとともに、スイッチがオンとなるスイッチ付ラッチＬにおいて、スイッチを、可動部材４１に取り付けられ、可動部材４１の対向する２側面から両端部が突出するピン８１と、ハウジング１１内に固定され、可動部材４１が突出位置のときにピン８１の両端部が接触して導通状態となり、可動部材４１が押し込み位置のときにピン８１の両端部が非接触となって非導通状態となる一対の固定端子３１とで構成する。【選択図】    図２
2005042428.tif 000002
【特許請求の範囲】
【請求項１】
ハウジングから一部が突出する突出位置へ付勢部材で付勢されている可動部材を、前記付勢部材の付勢力に抗して前記ハウジング内へ押し込むことにより、プッシュ・プッシュ式のロック機構がロック状態になって前記可動部材を押し込み位置にロックするとともに、スイッチがオンまたはオフし、前記押し込み位置の前記可動部材を前記付勢部材の付勢力に抗して前記ハウジング内へ押し込むことにより、前記ロック機構がアンロック状態になって前記可動部材を前記付勢部材の付勢力で前記突出位置へ復帰させるとともに、前記スイッチがオフまたはオンするスイッチ付ラッチにおいて、
前記スイッチを、前記可動部材に取り付けられ、前記可動部材の２側面から両端部が突出するピンからなる可動端子と、前記ハウジング内に固定され、前記可動部材が突出位置のときに前記可動端子の両端部が非接触となって非導通状態または接触して導通状態となり、前記可動部材が押し込み位置のときに前記可動端子の両端部が接触して導通状態または非接触となって非導通状態となる一対の固定端子とで構成した、
ことを特徴とするスイッチ付ラッチ。
【請求項２】
請求項１に記載のスイッチ付ラッチにおいて、
前記可動部材の２側面が対向する２側面であり、
前記可動端子が前記可動部材に対して回転可能である、
ことを特徴とするスイッチ付ラッチ。
【請求項３】
請求項１または請求項２に記載のスイッチ付ラッチにおいて、
前記可動端子の断面形状が円形である、
ことを特徴とするスイッチ付ラッチ。
【請求項４】
請求項１から請求項３のいずれか１項に記載のスイッチ付ラッチにおいて、
前記可動端子を、前記一対の固定端子の前記ハウジングの開口部側部分を外側へ撓ませて前記ハウジングの開口部側から前記固定端子の切欠部内へ組み込む、
ことを特徴とするスイッチ付ラッチ。
【請求項５】
請求項４に記載のスイッチ付ラッチにおいて、
前記ハウジングの開口部側の内側に、前記一対の固定端子の前記ハウジングの開口部側部分を外側へ撓ませることのできる凹部を設けた、
ことを特徴とするスイッチ付ラッチ。
【発明の詳細な説明】
【技術分野】
【０００１】
この発明は、例えば、ラジオカセットの扉などの開閉部材を押して閉じ、この閉じた開閉部材を再度押して開けるため、本体などの被取付部材に取り付けられるラッチに、スイッチを設けたスイッチ付ラッチに関するものである。
【背景技術】
【０００２】
従来のスイッチ付ラッチは、ハウジングから一部が突出する突出位置へ付勢部材で付勢されている可動部材を、付勢部材の付勢力に抗してハウジング内へ押し込むことにより、プッシュ・プッシュ式のロック機構がロック状態になって可動部材を押し込み位置にロックするとともに、スイッチがオンし、押し込み位置の可動部材を付勢部材の付勢力に抗してハウジング内へ押し込むことにより、ロック機構がアンロック状態になって可動部材を付勢部材の付勢力で突出位置へ復帰させるとともに、スイッチがオフするように構成されている。
【０００３】
上記した従来のスイッチ付ラッチにおけるスイッチは、ハウジングに固定された固定端子と、この固定端子に対して接離するとともに、固定端子に対して摺接するブラシ形状の弾性を有した可動端子とで構成されている。
この可動端子は、金属薄板に切断加工、曲げ加工を施すことによって製造するので、高価（コスト高）になる。
したがって、スイッチ付ラッチが高価になる。
【特許文献１】実開平７−１４０６２号公報（段落〔０００７〕〜段落〔００２０〕、図６〜図９）
【発明の開示】
【発明が解決しようとする課題】
【０００４】
この発明は、上記したような不都合を解消するためになされたもので、可動端子が安価に製造できることにより、安価に製造することのできるスイッチ付ラッチを提供するものである。
【課題を解決するための手段】
【０００５】
この発明は、ハウジングから一部が突出する突出位置へ付勢部材で付勢されている可動部材を、付勢部材の付勢力に抗してハウジング内へ押し込むことにより、プッシュ・プッシュ式のロック機構がロック状態になって可動部材を押し込み位置にロックするとともに、スイッチがオンまたはオフし、押し込み位置の可動部材を付勢部材の付勢力に抗してハウジング内へ押し込むことにより、ロック機構がアンロック状態になって可動部材を付勢部材の付勢力で突出位置へ復帰させるとともに、スイッチがオフまたはオンするスイッチ付ラッチにおいて、スイッチを、可動部材に取り付けられ、可動部材の２側面から両端部が突出するピンからなる可動端子と、ハウジング内に固定され、可動部材が突出位置のときに可動端子の両端部が非接触となって非導通状態または接触して導通状態となり、可動部材が押し込み位置のときに可動端子の両端部が接触して導通状態または非接触となって非導通状態となる一対の固定端子とで構成したものである。
そして、可動部材の２側面を対向する２側面とするとともに、可動端子を可動部材に対して回転可能にしたり、さらに、可動端子の断面形状を円形にしたり、さらに、可動端子を、一対の固定端子のハウジングの開口部側部分を外側へ撓ませてハウジングの開口部側から固定端子の切欠部内へ組み込めるのが望ましい。
なお、可動端子を、一対の固定端子のハウジングの開口部側部分を外側へ撓ませてハウジングの開口部側から固定端子の切欠部内へ組み込めるようにする場合、ハウジングの開口部側の内側に、一対の固定端子のハウジングの開口部側部分を外側へ撓ませることのできる凹部を設けるのが望ましい。
【発明の効果】
【０００６】
この発明によれば、スイッチを、可動部材に取り付けられ、可動部材の２側面から両端部が突出するピンからなる可動端子と、ハウジング内に固定され、可動部材が突出位置のときに可動端子の両端部が非接触となって非導通状態または接触して導通状態となり、可動部材が押し込み位置のときに可動端子の両端部が接触して導通状態または非接触となって非導通状態となる一対の固定端子とで構成したので、可動端子は付勢部材で常時ハウジングから突出する方向へ付勢され、この付勢された状態で固定端子に接触するため、可動端子と固定端子との接触不良が発生しにくく、スイッチの信頼性を確保することができる。
そして、可動部材の２側面を対向する２側面とするとともに、可動端子を可動部材に対して回転可能にしたので、一対の固定端子と接触する可動端子の部分が変わることにより、スイッチの信頼性を確保することができる。
さらに、可動端子の断面形状を円形にしたので、固定端子と可動端子との接触状態を安定させ、スイッチの信頼性を確保することができる。
さらに、可動端子を、一対の固定端子のハウジングの開口部側部分を外側へ撓ませてハウジングの開口部側から固定端子の切欠部内へ組み込めるようにしたので、組立を簡単に行うことができる。
そして、可動端子を、一対の固定端子のハウジングの開口部側部分を外側へ撓ませてハウジングの開口部側から固定端子の切欠部内へ組み込めるようにする場合、ハウジングの開口部側の内側に、一対の固定端子のハウジングの開口部側部分を外側へ撓ませることのできる凹部を設けたので、ハウジングを変形させることなく、可動端子を組み込むことができる。
【発明を実施するための最良の形態】
【０００７】
この発明は、可動端子を安価に製造するという目的を、ピンを利用することによって実現した。
【実施例１】
【０００８】
図１はこの発明の第１実施例であるスイッチ付ラッチの斜視図、図２は図１に示したスイッチ付ラッチの分解斜視図である。
【０００９】
これらの図において、Ｌはスイッチ付ラッチを示し、一側面が開放した箱状のハウジング１１と、このハウジング１１内に固定される一対の固定端子３１と、ハウジング１１内へ挿入される可動部材４１と、この可動部材４１とハウジング１１との間に装填され、可動部材４１をハウジング１１から突出する方向へ付勢する付勢部材としてのコイルスプリング６１と、ハウジング１１内に取り付けられるガイドレバー７１と、可動部材４１に取り付けられ、可動部材４１がハウジング１１から抜け出るのを阻止するとともに、固定端子３１に対して接離する、断面形状が円形をした可動端子としてのピン８１とで構成されている。
【００１０】
図３は図２に示したハウジングの平面図、図４は図２に示したハウジングの正面図、図５は図２に示したハウジングの右側面図、図６は図２に示したハウジングの左側面図、図７は図５のＡ−Ａ線による断面図、図８は図５のＢ−Ｂ線による断面図である。
なお、以後の説明の上下左右および前後は、各部材の正面図におけるものとする。
【００１１】
これらの図において、合成樹脂で成形されたハウジング１１は、一端（右側面：右側面壁）が開口部となるように、正面壁１２ｆ、裏面壁１２ｂ、天井壁１２ｕ、底壁１２ｄ、左側面壁１２ｌからなる箱部１２と、この箱部１２の右側に連設され、箱部１２の上下に突出し、箱部１２よりも前後に幅の広い右側面視矩形状の枠部２４とで構成されている。
【００１２】
そして、箱部１２には、正面壁１２ｆおよび裏面壁１２ｂの枠部２４側寄りに、左側面壁１２ｌ側から一端（枠部２４）側へ延び、枠部２４とで被取付部材を挟持する弾性挟持片１３がそれぞれ設けられ、正面壁１２ｆの内面の左側面壁１２ｌ側寄りに、左側面壁１２ｌから一端（枠部２４）側へ水平に、可動部材４１の平板部５０が挟まれて移動できる間隔で平行に延びる第１、第２カム突条１４Ａ，１４Ｂが設けられ、天井壁１２ｕおよび底壁１２ｄの裏面壁１２ｂ側寄りで、左側面壁１２ｌ側寄りに、一端（枠部２４）側から左側面壁１２ｌ側へ延びる係止片１６がそれぞれ設けられている。
なお、各係止片１６の内側は、一端（枠部２４）側から左側面壁１２ｌ側へ傾斜しながら箱部１２内へ僅かに突出し、固定端子３１の係合孔３３ａに係合する係止突起１６ａが設けられている。
【００１３】
さらに、箱部１２には、天井壁１２ｕの左側面壁１２ｌに連なる内面の端から枠部２４の右上側面の上端へ至るおよび底壁１２ｄの左側面壁１２ｌに連なる内面の端から枠部２４の右下側面の下端へ至る係止片１６の延長上に、固定端子３１をがたつかないように案内する、固定端子３１の厚さを深さとする端子ガイド溝１７がそれぞれ対向して設けられ、左側面壁１２ｌの内面の天井壁１２ｕおよび底壁１２ｄ寄りで、係止片１６の延長上に、固定端子３１の接続部３２をがたつかないように挿入できる、端子ガイド溝１７に連なる挿入孔１８がそれぞれ設けられ、左側面壁１２ｌの内面の、２つの係止片１６の中間に、コイルスプリング６１を位置決めするばね受け１９が一端（枠部２４）側へ天井壁１２ｕおよび底壁１２ｄと平行に設けられている。
なお、各端子ガイド溝１７の枠部２４の右側面部分には、固定端子３１の係合凹部３４ａに係合して各固定端子３１の右端部分が移動するのを阻止する係合部１７ａがそれぞれ設けられている。
そして、各端子ガイド溝１７の、ハウジング１１の開口部側の内側に、固定端子３１のハウジング１１の開口部側部分を外側へ撓ませ、ピン８１を通過させる凹部１７ｂがそれぞれ設けられている。
【００１４】
さらに、箱部１２には、ガイドレバー７１を取り付けるガイドレバー取付部２０が設けられている。
このガイドレバー取付部２０は、ガイドレバー７１を挿入するために左側面壁１２ｌに設けられた挿入孔２１と、この挿入孔２１に連通し、第１、第２カム突条１４Ａ，１４Ｂの左側面壁１２ｌ側で、正面壁１２ｆから遠い位置に設けられた、ガイドレバー７１の軸部７２を回動可能に位置決めする凹部２２Ａ，２２Ｂと、この凹部２２Ａ，２２Ｂ内へガイドレバー７１の軸部７２を回動可能に押圧する弾性押圧片２３とで構成されている。
【００１５】
図２において、３１は導電性を有した金属板をプレス加工して形成した固定端子を示し、ハウジング１１内からハウジング１１外へ一部が突出する接続部３２と、この接続部３２に両側へはみ出した矩形で同一平面状に右側へ連なり、ハウジング１１の端子ガイド溝１７内に位置させられる平板部３３と、この平板部３３に折り曲げられて右側へ連なり、ハウジング１１の開口部側部分に位置する端子ガイド溝１７部分に位置させられる係合部３４とで構成されている。
そして、接続部３２には導線を挿通して接続するための挿通孔３２ａが設けられ、平板部３３には、ハウジング１１の係止突起１６ａが縁に係合して抜け止め機能を有する係合部としての矩形状をした係合孔３３ａと、ピン８１が縁に接離する切欠部としての端子孔３３ｂとが設けられ、また、係合部３４には、係合部１７ａが係合する係合凹部３４が設けられている。
なお、端子孔３３ｂは、横長の矩形の右側に頂部が丸められた二等辺三角形が連なる形状とされている。
そして、端子孔３３ｂの矩形の右側辺の長さは、二等辺三角形の底辺の長さと同じにされている。
【００１６】
図９は図２に示した可動部材の平面図、図１０は図２に示した可動部材の正面図、図１１は図２に示した可動部材の右側面図、図１２は図２に示した可動部材の左側面図、図１３は図２に示した可動部材の底面図、１４は図１２のＣ−Ｃ線による断面図である。
【００１７】
これらの図において、４１は合成樹脂で成形された可動部材を示し、ハウジング１１内へ挿入される本体４２と、この本体４２の正面の右端および裏面の右端にヒンジ部５５を介して対向させて連設され、後述するストライカＳを挟持したり、挟持したストライカＳを開放する２つの挟持片５４とで構成されている。
【００１８】
上記した本体４２は、右端に位置し、２つの挟持片５４が連設された右側面視矩形状の前壁部４３と、この前壁部４３の左側面の前上側に連設され、裏面側の左隅が直線状に切り欠かれて傾斜面（カム面）とされた、前壁部４３の上端よりも高さの低いガイド突起４４と、前壁部４３の左裏面側半分に、前壁部４３の上下と段差を設けて左側へ連設された四角柱部４５と、前壁部４３の左正面側半分で、四角柱部４５の高さ方向の中間に位置させて、前壁部４３と四角柱部４５とに左側へ水平に連設された平板部５０とで構成されている。
そして、四角柱部４５には、左側面に、右側へ延びるコイルスプリング６１を収容する円形穴４６が設けられ、端子ガイド溝１７と対向する右端部分に、上下に貫通し、ピン８１が回転可能に挿通される、例えば、断面円形の挿通孔４８が設けられ、左端の上下で、裏面側寄りの隅に、前壁部４３の上端と同一高さまで延びる案内突起４９が連設されている。
【００１９】
次に、平板部５０には、上面に、第１カム凹部５１ａを有する第１ハートカム５１と、ガイドレバー７１の第１トレース部７３ａをガイドする第１カム突部５２とが連設され、下面に、第２カム凹部５３ａを有する第２ハートカム５３が連設されている。
なお、第１カム突条１４Ａ、第２カム突条１４Ｂ、ガイド突起４４の傾斜面（カム面）、第１ハートカム５１、第１カム突部５２、第２ハートカム５３は、第１トレース部７３ａと第２トレース部７４ａとの間隔が変わると、ガイドレバー７１の軸部７２に捩り力または曲げ力を発生させ、この捩り力または曲げ力によって第１トレース部７３ａまたは第２トレース部７４ａに循環方向への復元力を発生させるように形成されている。
そして、ロック機構は、第１カム突条１４Ａ、第２カム突条１４Ｂ、ガイド突起４４の傾斜面（カム面）、第１ハートカム５１、第１カム突部５２、第２ハートカム５３（、コイルスプリング６１）およびガイドレバー７１で構成されている。
【００２０】
図１５は図２に示したガイドレバーの平面図である。
【００２１】
図２または図１５において、７１はガイドレバーを示し、上下に延びる軸部７２の上下に第１、第２アーム部７３，７４が水平、かつ、平行に連なるように金属棒を正面視コ字状に折り曲げ、第１、第２アーム部７３，７４の開放した先端部分同士をそれぞれ内側へ可動部材４１の平板部５０を挿通できる間隔に折り曲げて第１、第２トレース部７３ａ，７４ａとしたものである。
【００２２】
図２において、８１は可動端子としてのピンを示し、断面円形の導電性を有した金属棒に導電性のメッキを施したもので、長さが、平行する端子ガイド溝１７の底の間隔よりも僅かに短くされている。
【００２３】
図１６はハウジング内に固定端子を取り付けた状態を示す正断面図に相当する説明図、図１７はこの発明の第１実施例であるスイッチ付ラッチの組立状態を示す正断面図に相当する説明図、図１８はこの発明の第１実施例であるスイッチ付ラッチの組立状態を示す平断面図に相当する説明図、図１９〜図２２はこの発明の第１実施例であるスイッチ付ラッチの動作説明図である。
【００２４】
図２０および図２１において、Ｓは扉などの開閉部材に設けられているストライカを示す。
【００２５】
次に、組立の一例について説明する。
まず、係合部３４をハウジング１１の係合部１７ａに対応させ、接続部３２側から端子ガイド溝１７に沿わせてハウジング１１内へ固定端子３１を挿入すると、接続部３２および平板部３３の左側が係止片１６に乗り上げて係止突起１６ａを押すことにより、係止片１６は外側へ撓み、接続部３２を挿入孔１８内へ挿入することができる。
そして、平板部３３の左端が左側面壁１２ｌの内面に当接すると、図１６に示すように、接続部３２の大部分はハウジング１１から左側へ突出し、係止片１６が自身の弾性によって元の状態へ復帰して係止突起１６ａが平板部３３の係合孔３３ａ内へ突入して係合孔３３ａの縁と係合する。
【００２６】
このとき、図１６に示すように、端子ガイド溝１７の右端に係合部３４が嵌合するとともに、係合部１７ａが係合凹部３４ａに係合するので、固定端子３１は端子ガイド溝１７内に移動を阻止され、ハウジング１１から抜け出ないように固定される。
このようにして一対（２つ）の固定端子３１をハウジング１１内に固定すると、固定端子３１は上下に、平行に対向した状態で固定される。
【００２７】
次に、コイルスプリング６１の一端を可動部材４１の円形穴４６内へ挿入するとともに、挿通孔４８内へピン８１を挿通した後、コイルスプリング６１の他端をハウジング１１のばね受け１９に対応させるとともに、ピン８１の両端を一対の固定端子３１の端子孔３３ｂに対応させた状態で、可動部材４１を案内突起４９側からハウジング１１内へ挿入すると、ばね受け１９は、図１７に示すように、コイルスプリング６１の中へ進入し、コイルスプリング６１が伸縮時に座屈しないようにガイドし、各固定端子３１のハウジング１１の開口部側部分がピン８１の両端で押されて外側へ撓み、凹部１７ｂ内へ後退するので、ピン８１が固定端子３１の間を通過することができる。
【００２８】
そして、ピン８１に右端が端子孔３３ｂへ到達すると、各固定端子３１が自身の弾性によって元の状態へ復帰することにより、ピン８１の両端は、端子孔３３ｂの右端、すなわち、二等辺三角形の丸まった頂部と対向する。
このようにして可動部材４１をハウジング１１へ挿入すると、平板部５０は、図１８に示すように、第１カム突条１４Ａと第２カム突条１４Ｂとの間に進入し、上下を支持される。
この状態で可動部材４１のハウジング１１内への押し込み力を解除すると、ハウジング１１から突出するように可動部材４１がコイルスプリング６１で付勢されることにより、図１７および図１８に示すように、ピン８１の両端が端子孔３３ｂの縁に衝合してハウジング１１から可動部材４１が抜け出なくなる位置（突出位置）へ移動するとともに、スイッチは、図１８および図１９に示すように、オン（導通）状態になる。
【００２９】
次に、ガイドレバー７１の第１、第２トレース部７３ａ，７４ａ側をハウジング１１の左側面壁１２ｌ側へ向け、可動部材４１の平板部５０を挟持するように第１トレース部７３ａを上側にするとともに、第２トレース部７４ａを下側にした状態で、第１、第２トレース部７３ａ，７４ａ側からハウジング１１の挿入孔２１内へ押し込むと、軸部７２が弾性押圧片２３を押し広げることにより、軸部７２を凹部２２Ａ，２２Ｂ内へ挿入することができる。
そして、軸部７２が凹部２２Ａ，２２Ｂ内へ挿入されると、弾性押圧片２３は、図１８に示すように、自身の弾性で元の状態へ復帰し、凹部２２Ａと凹部２２Ｂとの間の軸部７２を第１、第２カム突条１４Ａ，１４Ｂ側へ押圧するので、ガイドレバー７１を抜け出ないように取り付けることができるとともに、ガイドレバー７１は凹部２２Ａ，２２Ｂ内で回動可能となり、組立が完了する。
【００３０】
次に、取付の一例について説明する。
まず、箱部１２の左側面壁１２ｌ側を被取付部材、例えば、ラジオカセットの扉の回動端に対応させて本体に設けたブラケットの取付孔に対応させ、スイッチ付ラッチＬを左側面壁１２ｌ側から取付孔内へ挿入するとともに、押し込むと、取付孔の縁で各弾性挟持片１３が押されることによって内側へ撓むので、箱部１２を取付孔内へ押し込むことができる。
そして、枠部２４がブラケットの一面に当接すると、各弾性挟持片１３がブラケットの裏側へ突出し、自身の弾性で元の状態へ復帰するので、各弾性挟持片１３がブラケットの裏面側の取付孔の周縁に係合する。
したがって、スイッチ付ラッチＬは、弾性挟持片１３と枠部２４とでブラケットを挟持した状態でブラケットに取り付けられる。
【００３１】
次に、動作について説明する。
まず、図１７および図１８のように組み立てられた状態、すなわち、可動部材４１が突出位置に位置する状態においては、図１９に示すように、コイルスプリング６１の付勢力で付勢された可動部材４１を介したピン８１の両端が各固定端子３１に接触することにより、スイッチはオン状態である。
この状態で、可動部材４１の前壁部４３がストライカＳで押され、コイルスプリング６１の付勢力に抗して可動部材４１がハウジング１１内へ押し込まれると、各挟持片５４が枠部２４で押され、ヒンジ部５５で内側へ折れ曲がることにより、図２０に示すように、各挟持片５４はストライカＳを抜け出ないように挟持する。
【００３２】
そして、可動部材４１がハウジング１１内へ押し込まれると、ガイドレバー７１の各トレース部７３ａ，７４ａは、図１８における各ハートカム５１，５３の下側をトレースするように揺動し、図２０に示すように、可動部材４１がハウジング１１の最深部まで押し込まれる。
この状態で、ストライカＳを介して可動部材４１をハウジング１１内へ押し込む力を解除すると、コイルスプリング６１によって可動部材４１がハウジング１１から突出する方向へ付勢される。
したがって、第２トレース部７４ａが第２ハートカム５３の先端のカム面で誘導される復元力で、図２１に示すように、各トレース部７３ａ，７４ａが対応する各カム凹部５１ａ，５３ａと対向して係合することにより、ロック機構がロック状態となり、可動部材４１を押し込み位置にロックさせる。
【００３３】
なお、図１８に示す状態から図２１に示す状態まで可動部材４１がハウジング１１内へ押し込まれる過程において、ピン４１の両端は固定端子３１に接触せず、端子孔３３ｂ内を移動する。
したがって、図２１および図２２に示すように、可動部材４１が押し込み位置に位置する状態では、ピン８１の両端は各固定端子３１と非接触状態となり、スイッチがオフ状態になる。
【００３４】
このロック機構がロックした状態で、ストライカＳを介して可動部材４１をハウジング１１内へコイルスプリング６１の付勢力に抗して再度押し込むと、各トレース部７３ａ，７４ａは、図２０に二点鎖線で示すように、ガイド突起４４の傾斜面（カム面）で案内され、ロック機構がアンロック状態になる。
したがって、ロック機構のアンロック状態で、ストライカＳを介して可動部材４１をハウジング１１内へ押し込む力を解除すると、コイルスプリング６１によって可動部材４１がハウジング１１から突出する方向へ付勢され、可動部材４１は、図１７、図１８および図１９に示す突出位置へ復帰する。
なお、可動部材４１が突出位置へ復帰すると、図１８および図１９に示すように、ピン８１の両端がコイルスプリング６１で付勢された可動部材４１を介して各固定端子３１に接触することにより、スイッチがオン状態になる。
【００３５】
上述したように、この発明の第１実施例によれば、スイッチを、可動部材４１に取り付けられ、可動部材４１の対向する２側面から両端部が突出するピン８１と、ハウジング１１内に固定され、可動部材４１が突出位置のときにピン８１の両端部が接触して導通状態となり、可動部材４１が押し込み位置のときにピン８１の両端部が非接触となって非導通状態となる一対の固定端子３１とで構成したので、ピン８１はコイルスプリング６１で常時ハウジング１１から突出する方向へ付勢され、この付勢された状態で固定端子３１に接触するため、ピン８１と固定端子３１との接触不良が発生しにくく、スイッチの信頼性を確保することができる。
そして、ピン８１を可動部材４１に対して回転可能にしたので、一対の固定端子３１と接触するピン８１の部分が変わることにより、スイッチの信頼性を確保することができる。
さらに、ピン８１の断面形状を円形にしたので、固定端子３１とピン８１との接触状態を安定させ、スイッチの信頼性を確保することができる。
さらに、ハウジング１１の開口部側の内側に、一対の固定端子３１のハウジング１１の開口部側部分を外側へ撓ませることのできる凹部１７ｂを設けたので、ハウジング１１を変形させることなく、ピン８１を組み込むことができる。
【実施例２】
【００３６】
図２３はこの発明の第２実施例であるスイッチ付ラッチの斜視図、図２４は図２３に示したスイッチ付ラッチの分解斜視図である。
【００３７】
これらの図において、Ｌはスイッチ付ラッチを示し、一側面が開放した箱状のハウジング１１Ａと、このハウジング１１Ａ内に固定される一対の固定端子３１Ａと、ハウジング１１Ａ内へ挿入される可動部材４１Ａと、この可動部材４１Ａとハウジング１１Ａとの間に装填され、可動部材４１Ａをハウジング１１Ａから突出する方向へ付勢する付勢部材としてのコイルスプリング６１と、ハウジング１１Ａ内に取り付けられるガイドレバー７１と、可動部材４１Ａに取り付けられ、固定端子３１Ａに対して接離する、断面形状が円形をした可動端子としてのピン８１とで構成されている。
【００３８】
図２５は図２４に示したハウジングの平面図、図２６は図２４に示したハウジングの正面図、図２７は図２４に示したハウジングの右側面図、図２８は図２４に示したハウジングの左側面図、図２９は図２７のＤ−Ｄ線による断面図、図３０は図２７のＥ−Ｅ線による断面図である。
【００３９】
これらの図において、合成樹脂で成形されたハウジング１１Ａは、一端（右側面：右側面壁）が開口部となるように、正面壁１２ｆ、裏面壁１２ｂ、天井壁１２ｕ、底壁１２ｄ、左側面壁１２ｌからなる箱部１２と、この箱部１２の右側に連設され、箱部１２の上下に突出し、箱部１２よりも前後に幅の広い右側面視矩形状の枠部２４とで構成されている。
【００４０】
そして、箱部１２には、正面壁１２ｆおよび裏面壁１２ｂの枠部２４側寄りに、左側面壁１２ｌ側から一端（枠部２４）側へ延び、枠部２４とで被取付部材を挟持する弾性挟持片１３がそれぞれ設けられ、正面壁１２ｆの内面の左側面壁１２ｌ側寄りに、左側面壁１２ｌから一端（枠部２４）側へ水平に、可動部材４１Ａの平板部５０が挟まれて移動できる間隔で平行に延びる第１、第２カム突条１４Ａ，１４Ｂが設けられ、天井壁１２ｕの正面壁１２ｆ側寄りで、一端（枠部２４）側寄りに、左側面壁１２ｌ側から枠部２４まで延びる矩形のガイド長孔１５が設けられ、天井壁１２ｕおよび底壁１２ｄの裏面壁１２ｂ側寄りで、左側面壁１２ｌ側寄りに、一端（枠部２４）側から左側面壁１２ｌ側へ延びる係止片１６がそれぞれ設けられている。
なお、枠部２４の天井の内側には、ガイド長孔１５に連なり、枠部２４の右端に達するガイド溝１５ａが設けられている。
そして、各係止片１６の内側は、一端（枠部２４）側から左側面壁１２ｌ側へ傾斜しながら箱部１２内へ僅かに突出し、固定端子３１Ａの係合端子孔３３ｃに係合する係止突起１６ａが設けられている。
【００４１】
さらに、箱部１２には、天井壁１２ｕの左側面壁１２ｌに連なる内面の端から枠部２４の右上側面の上端へ至るおよび底壁１２ｄの左側面壁１２ｌに連なる内面の端から枠部２４の右下側面の下端へ至る係止片１６の延長上に、固定端子３１Ａをがたつかないように案内する、固定端子３１Ａの厚さを深さとする端子ガイド溝１７がそれぞれ対向して設けられ、左側面壁１２ｌの内面の天井壁１２ｕおよび底壁１２ｄ寄りで、係止片１６の延長上に、固定端子３１Ａの接続部３２をがたつかないように挿入できる、端子ガイド溝１７に連なる挿入孔１８がそれぞれ設けられ、左側面壁１２ｌの内面の、２つの係止片１６の中間に、コイルスプリング６１を位置決めするばね受け１９が一端（枠部２４）側へ天井壁１２ｕおよび底壁１２ｄと平行に設けられている。
なお、各端子ガイド溝１７の枠部２４の右側面部分には、固定端子３１Ａの係合凹部３４ａに係合して各固定端子３１Ａの右端部分が移動するのを阻止する係合部１７ａがそれぞれ設けられている。
そして、各端子ガイド溝１７の、ハウジング１１Ａの開口部側の内側に、固定端子３１Ａのハウジング１１Ａの開口部側部分を外側へ撓ませ、ピン８１を通過させる凹部１７ｂがそれぞれ設けられている。
【００４２】
さらに、箱部１２には、ガイドレバー７１を取り付けるガイドレバー取付部２０が設けられている。
このガイドレバー取付部２０は、ガイドレバー７１を挿入するために左側面壁１２ｌに設けられた挿入孔２１と、この挿入孔２１に連通し、第１、第２カム突条１４Ａ，１４Ｂの左側面壁１２ｌ側で、正面壁１２ｆから遠い位置に設けられた、ガイドレバー７１の軸部７２を回動可能に位置決めする凹部２２Ａ，２２Ｂと、この凹部２２Ａ，２２Ｂ内へガイドレバー７１の軸部７２を回動可能に押圧する弾性押圧片２３とで構成されている。
【００４３】
図２４において、３１Ａは導電性を有した金属平板をプレス加工して形成した固定端子を示し、ハウジング１１Ａ内からハウジング１１Ａ外へ一部が突出する接続部３２と、この接続部３２に両側へはみ出した矩形で同一平面状に右側へ連なり、ハウジング１１Ａの端子ガイド溝１７内に位置させられる平板部３３Ａと、この平板部３３Ａに折り曲げられて右側へ連なり、ハウジング１１Ａの開口部側部分に位置する端子ガイド溝１７部分に位置させられる係合部３４とで構成されている。
そして、接続部３２には導線を挿通して接続するための挿通孔３２ａが設けられ、平板部３３Ａには、ハウジング１１Ａの係止突起１６ａが縁に係合して抜け止め機能を有するとともに、ピン８１が接離する切欠部としての係合端子孔３３ｃが設けられ、また、係合部３４には、係合部１７ａが係合する係合凹部３４が設けられている。
なお、係合端子孔３３ｃは、横長の矩形孔である。
そして、平板部３３Ａには、通過するピン８１に接離する、弾性を有した接触部３３ｄが前後に対向させて係合端子孔３３ｃへ突出するように、プレス加工によって平板部３３Ａと同一平面に設けられている。
【００４４】
図３１は図２４に示した可動部材の平面図、図３２は図２４に示した可動部材の正面図、図３３は図２４に示した可動部材の右側面図、図３４は図２４に示した可動部材の左側面図、図３５は図２４に示した可動部材の底面図、図３６は図３４のＦ−Ｆ線による断面図である。
【００４５】
これらの図において、４１Ａは合成樹脂で成形された可動部材を示し、ハウジング１１Ａ内へ挿入される本体４２と、この本体４２の正面の右端および裏面の右端にヒンジ部５５を介して対向させて連設され、ストライカＳを挟持したり、挟持したストライカＳを開放する２つの挟持片５４とで構成されている。
【００４６】
上記した本体４２は、右端に位置し、２つの挟持片５４が連設された右側面視矩形状の前壁部４３と、この前壁部４３の左側面の前上側に連設され、ハウジング１１Ａのガイド長孔１５およびガイド溝１５ａに対応させて、上面が左側へ下降する傾斜面とされるとともに、裏面側の左隅が直線状に切り欠かれて傾斜面（カム面）とされた、前壁部４３の上端よりも少し高いガイド係止突起４４Ａと、前壁部４３の左裏面側半分に、前壁部４３の上下と段差を設けて左側へ連設された四角柱部４５と、前壁部４３の左正面側半分で、四角柱部４５の高さ方向の中間に位置させて、前壁部４３と四角柱部４５とに左側へ水平に連設された平板部５０とで構成されている。
そして、四角柱部４５には、左側面に、右側へ延びるコイルスプリング６１を収容する円形穴４６が設けられ、端子ガイド溝１７と対向する右端部分に、上下に貫通し、ピン８１が回転可能に挿通される、例えば、断面円形の挿通孔４８が設けられ、左端の上下で、裏面側寄りの隅に、前壁部４３の高さと同一高さまで延びる案内突起４９が連設されている。
【００４７】
次に、平板部５０には、上面に、第１カム凹部５１ａを有する第１ハートカム５１と、ガイドレバー７１の第１トレース部７３ａをガイドする第１カム突部５２とが連設され、下面に、第２カム凹部５３ａを有する第２ハートカム５３が連設されている。
なお、第１カム突条１４Ａ、第２カム突条１４Ｂ、ガイド係止突起４４Ａの傾斜面（カム面）、第１ハートカム５１、第１カム突部５２、第２ハートカム５３は、第１トレース部７３ａと第２トレース部７４ａとの間隔が変わると、ガイドレバー７１の軸部７２に捩り力または曲げ力を発生させ、この捩り力または曲げ力によって第１トレース部７３ａまたは第２トレース部７４ａに循環方向への復元力を発生させるように形成されている。
そして、ロック機構は、第１カム突条１４Ａ、第２カム突条１４Ｂ、ガイド係止突起４４Ａの傾斜面（カム面）、第１ハートカム５１、第１カム突部５２、第２ハートカム５３（、コイルスプリング６１）およびガイドレバー７１で構成されている。
【００４８】
図３７は図２４に示したガイドレバーの平面図である。
【００４９】
図２４または図３７において、７１はガイドレバーを示し、上下に延びる軸部７２の上下に第１、第２アーム部７３，７４が水平、かつ、平行に連なるように金属棒を正面視コ字状に折り曲げ、第１、第２アーム部７３，７４の開放した先端部分同士をそれぞれ内側へ可動部材４１Ａの平板部５０を挿通できる間隔に折り曲げて第１、第２トレース部７３ａ，７４ａとしたものである。
【００５０】
図２４において、８１は可動端子としてのピンを示し、断面円形の導電性を有した金属棒に導電性のメッキを施したもので、長さが、平行する端子ガイド溝１７の底の間隔よりも僅かに短くされている。
【００５１】
図３８はハウジング内に固定端子を取り付けた状態を示す正断面図に相当する説明図、図３９はこの発明の第２実施例であるスイッチ付ラッチの組立状態を示す正断面図に相当する説明図、図４０はこの発明の第２実施例であるスイッチ付ラッチの組立状態を示す平断面図に相当する説明図、図４１〜図４４はこの発明の第２実施例であるスイッチ付ラッチの動作説明図である。
【００５２】
図４２および図４３において、Ｓは扉などの開閉部材に設けられているストライカを示す。
【００５３】
次に、組立の一例について説明する。
まず、係合部３４をハウジング１１Ａの係合部１７ａに対応させ、接続部３２側から端子ガイド溝１７に沿わせてハウジング１１Ａ内へ固定端子３１Ａを挿入すると、接続部３２および平板部３３Ａの左側が係止片１６に乗り上げて係止突起１６ａを押すことにより、係止片１６は外側へ撓み、接続部３２を挿入孔１８内へ挿入することができる。
そして、平板部３３Ａの左端が左側面壁１２ｌの内面に当接すると、図３８に示すように、接続部３２の大部分はハウジング１１Ａから左側へ突出し、係止片１６が自身の弾性によって元の状態へ復帰して係止突起１６ａが平板部３３Ａの係合端子孔３３ｃ内へ突入して係合端子孔３３ｃの縁と係合する。
【００５４】
このとき、図３８に示すように、端子ガイド溝１７の右端に係合部３４が嵌合するとともに、係合部１７ａが係合凹部３４ａに係合するので、固定端子３１Ａは端子ガイド溝１７内に移動を阻止され、ハウジング１１Ａ内に抜け出ないように固定される。
このようにして一対（２つ）の固定端子３１Ａをハウジング１１Ａ内に固定すると、固定端子３１Ａは上下に、平行に対向した状態で固定される。
【００５５】
次に、コイルスプリング６１の一端を可動部材４１Ａの円形穴４６内へ挿入するとともに、挿通孔４８内へピン８１を挿通した後、コイルスプリング６１の他端をハウジング１１Ａのばね受け１９に対応させ、可動部材４１Ａのガイド係止突起４４Ａをハウジング１１Ａのガイド長孔１５およびガイド溝１５ａに対応させるとともに、ピン８１の両端を一対の固定端子３１Ａの係合端子孔３３ｃに対応させた状態で、可動部材４１Ａを案内突起４９側からハウジング１１Ａ内へ挿入すると、ばね受け１９は、図３９に示すように、コイルスプリング６１の中へ進入し、コイルスプリング６１が伸縮時に座屈しないようにガイドし、各固定端子３１Ａのハウジング１１Ａの開口部側部分がピン８１の両端で押されて外側へ撓み、凹部１７ｂ内へ後退するので、ピン８１が固定端子３１Ａの間を通過することができ、ガイド係止突起４４Ａは斜面で枠部２４を押し上げることにより、本体４２をハウジング１１Ａ内へ押し込むことができる。
【００５６】
そして、ガイド係止突起４４Ａの右端が枠部２４を乗り越えてガイド長孔１５と対向すると、枠部２４が自身の弾性で元の状態へ復帰することにより、ガイド係止突起４４Ａはガイド長孔１５の右縁（枠部２４の左端）と対向する。
また、ピン８１の右端が係合端子孔３３ｃへ到達すると、各固定端子３１Ａが自身の弾性によって元の状態へ復帰することにより、ピン８１の両端は、係合端子孔３３ｃの右端と対向する。
このようにして可動部材４１Ａをハウジング１１Ａへ挿入すると、平板部５０は、図４０に示すように、第１カム突条１４Ａと第２カム突条１４Ｂとの間に進入し、上下を支持される。
【００５７】
この状態で可動部材４１Ａのハウジング１１Ａ内への押し込み力を解除すると、ハウジング１１Ａから突出するように可動部材４１Ａがコイルスプリング６１で付勢されることにより、図示を省略するが、ガイド係止突起４４Ａがガイド長孔１５の右縁（枠部２４の左端）に衝合してハウジング１１Ａから可動部材４１Ａが抜け出なくなる位置（突出位置）へ移動する。
なお、可動部材４１Ａが突出位置に位置する状態において、図４０および図４１に示すように、ピン８１の両端が平板部３３Ａおよび接触部３３ｄと非接触状態であるので、スイッチは、オフ（非導通）状態になる。
【００５８】
次に、ガイドレバー７１の第１、第２トレース部７３ａ，７４ａ側をハウジング１１Ａの左側面壁１２ｌ側へ向け、可動部材４１Ａの平板部５０を挟持するように第１トレース部７３ａを上側にするとともに、第２トレース部７４ａを下側にした状態で、第１、第２トレース部７３ａ，７４ａ側からハウジング１１Ａの挿入孔２１内へ押し込むと、軸部７２が弾性押圧片２３を押し広げることにより、軸部７２を凹部２２Ａ，２２Ｂ内へ挿入することができる。
そして、軸部７２が凹部２２Ａ，２２Ｂ内へ挿入されると、弾性押圧片２３は、図４０に示すように、自身の弾性で元の状態へ復帰し、凹部２２Ａと凹部２２Ｂとの間の軸部７２を第１、第２カム突条１４Ａ，１４Ｂ側へ押圧するので、ガイドレバー７１を抜け出ないように取り付けることができるとともに、ガイドレバー７１は凹部２２Ａ，２２Ｂ内で回動可能となり、組立が完了する。
【００５９】
この第２実施例のスイッチ付ラッチＬの取付は、第１実施例のスイッチ付ラッチＬと同様になるので、説明を省略する。
【００６０】
次に、動作について説明する。
まず、図３９および図４０のように組み立てられた状態、すなわち、可動部材４１Ａが突出位置に位置する状態においては、図４１に示すように、コイルスプリング６１の付勢力で付勢された可動部材４１Ａを介したピン８１の両端が各固定端子３１Ａと非接触状態であるので、スイッチはオフ状態である。
この状態で、可動部材４１Ａの前壁部４３がストライカＳで押され、コイルスプリング６１の付勢力に抗して可動部材４１Ａがハウジング１１Ａ内へ押し込まれると、各挟持片５４が枠部２４で押され、ヒンジ部５５で内側へ折れ曲がることにより、図４２に示すように、各挟持片５４はストライカＳを抜け出ないように挟持する。
【００６１】
そして、可動部材４１Ａがハウジング１１Ａ内へ押し込まれると、ガイドレバー７１の各トレース部７３ａ，７４ａは、図４０における各ハートカム５１，５３の下側をトレースするように揺動し、図４２に示すように、可動部材４１Ａがハウジング１１Ａの最深部まで押し込まれる。
この状態で、ストライカＳを介して可動部材４１Ａをハウジング１１Ａ内へ押し込む力を解除すると、コイルスプリング６１によって可動部材４１Ａがハウジング１１Ａから突出する方向へ付勢される。
したがって、第２トレース部７４ａが第２ハートカム５３の先端のカム面で誘導される復元力で、図４３に示すように、各トレース部７３ａ，７４ａが対応する各カム凹部５１ａ，５３ａと対向して係合することにより、ロック機構がロック状態となり、可動部材４１Ａを押し込み位置にロックさせる。
【００６２】
なお、図４０に示す状態から図４３に示す状態まで可動部材４１Ａがハウジング１１Ａ内へ押し込まれる過程において、ピン４１Ａの両端は、図４３に示すように、両接触部３３ｄと接触した後、図４２に示すように、固定端子３１Ａおよび両接触部３３ｄと接触しなくなるものの、図４３に示すように、両接触部３３ｄと再度接触し、その接触状態を維持する。
したがって、図４３および図４４に示すように、可動部材４１Ａが押し込み位置に位置する状態では、ピン８１の両端は両接触部３３ｄに接触することにより、スイッチがオン状態になる。
【００６３】
このロック機構がロックした状態で、ストライカＳを介して可動部材４１Ａをハウジング１１Ａ内へコイルスプリング６１の付勢力に抗して再度押し込むと、各トレース部７３ａ，７４ａは、図４２に二点鎖線で示すように、ガイド係止突起４４Ａの傾斜面（カム面）で案内され、ロック機構がアンロック状態になる。
したがって、ロック機構のアンロック状態で、ストライカＳを介して可動部材４１Ａをハウジング１１Ａ内へ押し込む力を解除すると、コイルスプリング６１によって可動部材４１Ａがハウジング１１Ａから突出する方向へ付勢され、可動部材４１Ａは、図３９、図４０および図４１に示す突出位置へ復帰する。
なお、可動部材４１Ａが突出位置へ復帰する過程において、ピン８１の両端は、前述した説明と逆の過程を経て固定端子３１Ａおよび両接触部３３ｄと接離し、図４０および図４１に示すように、ピン８１の両端が各固定端子３１Ａに非接触となり、スイッチがオフ状態になる。
【００６４】
上述したように、この発明の第２実施例によれば、可動部材４１Ａが突出位置のときにスイッチがオフとなり、可動部材４１Ａが押し込み位置のときにスイッチがオンとなる構成であるものの、先に説明した第１実施例と同様な効果を得ることができる。
【００６５】
上記した実施例では、一対の固定端子を可動部材の対向する２側面に対応させたハウジング内に配置し、可動端子の両端部を可動部材の対向する２側面から突出させ、可動端子が可動部材に対して回転可能である例を示したが、可動端子を略直角に曲げた形状としてモールド成形することにより、可動端子の両端部を可動部材の隣接する２側面から突出させ、可動部材の隣接する２側面に対応させて一対の固定端子をハウジング内に配置する構成であっても、同様な効果を得ることができる。
また、可動端子の断面形状を円形にした例を示したが、可動端子の断面形状は円形以外であってもよい。
さらに、ハウジングの開口部側の内側に、一対の固定端子のハウジングの開口部側部分を外側へ撓ませることのできる凹部を設けた例を示したが、ハウジングおよび固定端子をその弾性を利用することにより、可動部材および可動端子をハウジング内へ組み込めれば、前述した凹部を設けなくともよい。
【産業上の利用可能性】
【００６６】
この発明のスイッチ付ラッチをラジオカセットに取り付けた例で説明したが、開閉扉を有する他の機器、押し込み位置と突出位置との間を移動する移動体を有する機器などにも適用できる。
【図面の簡単な説明】
【００６７】
【図１】この発明の第１実施例であるスイッチ付ラッチの斜視図である。
【図２】図１に示したスイッチ付ラッチの分解斜視図である。
【図３】図２に示したハウジングの平面図である。
【図４】図２に示したハウジングの正面図である。
【図５】図２に示したハウジングの右側面図である。
【図６】図２に示したハウジングの左側面図である。
【図７】図５のＡ−Ａ線による断面図である。
【図８】図５のＢ−Ｂ線による断面図である。
【図９】図２に示した可動部材の平面図である。
【図１０】図２に示した可動部材の正面図である。
【図１１】図２に示した可動部材の右側面図である。
【図１２】図２に示した可動部材の左側面図である。
【図１３】図２に示した可動部材の底面図である。
【図１４】図１２のＣ−Ｃ線による断面図である。
【図１５】図２に示したガイドレバーの平面図である。
【図１６】ハウジング内に固定端子を取り付けた状態を示す正断面図に相当する説明図である。
【図１７】この発明の第１実施例であるスイッチ付ラッチの組立状態を示す正断面図に相当する説明図である。
【図１８】この発明の第１実施例であるスイッチ付ラッチの組立状態を示す平断面図に相当する説明図である。
【図１９】この発明の第１実施例であるスイッチ付ラッチの動作説明図である。
【図２０】この発明の第１実施例であるスイッチ付ラッチの動作説明図である。
【図２１】この発明の第１実施例であるスイッチ付ラッチの動作説明図である。
【図２２】この発明の第１実施例であるスイッチ付ラッチの動作説明図である。
【図２３】この発明の第２実施例であるスイッチ付ラッチの斜視図である。
【図２４】図２３に示したスイッチ付ラッチの分解斜視図である。
【図２５】図２４に示したハウジングの平面図である。
【図２６】図２４に示したハウジングの正面図である。
【図２７】図２４に示したハウジングの右側面図である。
【図２８】図２４に示したハウジングの左側面図である。
【図２９】図２７のＤ−Ｄ線による断面図である。
【図３０】図２７のＥ−Ｅ線による断面図である。
【図３１】図２４に示した可動部材の平面図である。
【図３２】図２４に示した可動部材の正面図である。
【図３３】図２４に示した可動部材の右側面図である。
【図３４】図２４に示した可動部材の左側面図である。
【図３５】図２４に示した可動部材の底面図である。
【図３６】図３４のＦ−Ｆ線による断面図である。
【図３７】図２４に示したガイドレバーの平面図である。
【図３８】ハウジング内に固定端子を取り付けた状態を示す正断面図に相当する説明図である。
【図３９】この発明の第２実施例であるスイッチ付ラッチの組立状態を示す正断面図に相当する説明図である。
【図４０】この発明の第２実施例であるスイッチ付ラッチの組立状態を示す平断面図に相当する説明図である。
【図４１】この発明の第２実施例であるスイッチ付ラッチの動作説明図である。
【図４２】この発明の第２実施例であるスイッチ付ラッチの動作説明図である。
【図４３】この発明の第２実施例であるスイッチ付ラッチの動作説明図である。
【図４４】この発明の第２実施例であるスイッチ付ラッチの動作説明図である。
【符号の説明】
【００６８】
Ｌ      スイッチ付ラッチ
１１    ハウジング
１１Ａ  ハウジング
１２    箱部
１２ｆ  正面壁
１２ｂ  裏面壁
１２ｕ  天井壁
１２ｄ  底壁
１２ｌ  左側面壁
１３    弾性挟持片
１４Ａ  第１カム突条
１４Ｂ  第２カム突条
１５    ガイド長孔
１５ａ  ガイド溝
１６    係止片
１６ａ  係止突起
１７    端子ガイド溝
１７ａ  係合部
１７ｂ  凹部
１８    挿入孔
１９    ばね受け
２０    ガイドレバー取付部
２１    挿入孔
２２Ａ  凹部
２２Ｂ  凹部
２３    弾性押圧片
２４    枠部
３１    固定端子
３１Ａ  固定端子
３２    接続部
３２ａ  挿通孔
３３    平板部
３３Ａ  平板部
３３ａ  係合孔
３３ｂ  端子孔（切欠部）
３３ｃ  係合端子孔（切欠部）
３３ｄ  接触部
３４    係合部
３４ａ  係合凹部
４１    可動部材
４１Ａ  可動部材
４２    本体
４３    前壁部
４４    ガイド突起
４４Ａ  ガイド係止突起
４５    四角柱部
４６    円形穴
４８    挿通孔
４９    案内突起
５０    平板部
５１    第１ハートカム
５１ａ  第１カム凹部
５２    第１カム突部
５３    第２ハートカム
５３ａ  第２カム凹部
５４    挟持片
５５    ヒンジ部
７１    コイルスプリング（付勢部材）
７１    ガイドレバー
７２    軸部
７３    第１アーム部
７３ａ  第１トレース部
７４    第２アーム部
７４ａ  第２トレース部
８１    ピン（可動端子）
Ｓ      ストライカ
【図１】
2005042428.tif 000003
【図２】
2005042428.tif 000004
【図３】
2005042428.tif 000005
【図４】
2005042428.tif 000006
【図５】
2005042428.tif 000007
【図６】
2005042428.tif 000008
【図７】
2005042428.tif 000009
【図８】
2005042428.tif 000010
【図９】
2005042428.tif 000011
【図１０】
2005042428.tif 000012
【図１１】
2005042428.tif 000013
【図１２】
2005042428.tif 000014
【図１３】
2005042428.tif 000015
【図１４】
2005042428.tif 000016
【図１５】
2005042428.tif 000017
【図１６】
2005042428.tif 000018
【図１７】
2005042428.tif 000019
【図１８】
2005042428.tif 000020
【図１９】
2005042428.tif 000021
【図２０】
2005042428.tif 000022
【図２１】
2005042428.tif 000023
【図２２】
2005042428.tif 000024
【図２３】
2005042428.tif 000025
【図２４】
2005042428.tif 000026
【図２５】
2005042428.tif 000027
【図２６】
2005042428.tif 000028
【図２７】
2005042428.tif 000029
【図２８】
2005042428.tif 000030
【図２９】
2005042428.tif 000031
【図３０】
2005042428.tif 000032
【図３１】
2005042428.tif 000033
【図３２】
2005042428.tif 000034
【図３３】
2005042428.tif 000035
【図３４】
2005042428.tif 000036
【図３５】
2005042428.tif 000037
【図３６】
2005042428.tif 000038
【図３７】
2005042428.tif 000039
【図３８】
2005042428.tif 000040
【図３９】
2005042428.tif 000041
【図４０】
2005042428.tif 000042
【図４１】
2005042428.tif 000043
【図４２】
2005042428.tif 000044
【図４３】
2005042428.tif 000045
【図４４】
2005042428.tif 000046